(57)【要約】      （修正有）【課題】  暗証番号を入力するだけで手間をかけずに電話機に対する呼の転送設定を行うことができる、通信端末を提供する。【解決手段】  電話機Ａおよび登録サーバ４０にあらかじめ電話機ＡのユーザのユーザＩＤおよびパスワードを登録しておく。電話機Ｂから電話機Ａに電話をかけると、電話機ＢのＩＰアドレスと電話機Ｂに入力した暗証番号が電話機Ａに送信される。電話機Ａは受信した暗証番号があらかじめ登録されている暗証番号に一致する場合に、登録サーバ４０に対して転送設定要求とともに、あらかじめ登録されているユーザＩＤ，パスワードおよび電話機ＢのＩＰアドレスを送信する。登録サーバ４０は、受信したユーザＩＤとパスワードとがあらかじめ登録されているユーザＩＤとパスワードとに一致する場合に、転送設定要求を受け付け、対応表４０ｂに記録されている電話番号Ａに対応するＩＰアドレスを転送先(電話機Ｂ)のＩＰアドレスに書き換える。【選択図】  図１
2005151009.tif 000002
【特許請求の範囲】
【請求項１】
識別番号と通信ネットワーク上のアドレス情報とが割り当てられ、前記識別番号および前記アドレス情報の対応関係が記述された対応表を管理するサーバを利用して所望の通信端末との接続を確立する通信端末において、
待機モードが設定された状態で接続要求を受信したとき要求元の通信端末との間で接続を確立する確立手段、および
前記確立手段によって接続が確立された後に前記要求元の通信端末から特定信号を受信したとき、前記対応表において自分の識別番号の対応先を自分のアドレス情報から前記要求元の通信端末のアドレス情報に変更することを要求する要求信号を前記サーバに送信する送信手段を備えることを特徴とする、通信端末。
【請求項２】
第１秘密コードを保持する第１保持手段をさらに備え、
前記特定信号は第２秘密コードを含み、
前記送信手段は、前記第１保持手段によって保持された第１秘密コードと前記特定信号に含まれる第２秘密コードとの間で所定関係が満たされるとき前記サーバに前記要求信号を送信する、請求項１記載の通信端末。
【請求項３】
前記サーバにアクセスするためのアクセスコードを保持する第２保持手段をさらに備え、
前記要求信号は前記第２保持手段によって保持されたアクセスコードを含む、請求項１または２記載の通信端末。
【請求項４】
前記識別番号は電話番号であり、
前記通信ネットワークはＩＰネットワークであり、そして
前記アドレス情報はＩＰアドレスである、請求項１ないし３のいずれかに記載の通信端末。
【請求項５】
前記待機モードは留守番電話モードである、請求項１ないし４のいずれかに記載の通信端末。
【請求項６】
前記アクセスコードは、ユーザＩＤおよびパスワードを含む、請求項１ないし５のいずれかに記載の通信端末。
【請求項７】
自分の前記アドレス情報を保持する第３保持手段をさらに備え、
前記接続要求は、前記要求元の通信端末第３保持手段が保持するアドレス情報を含む、請求項１ないし６のいずれかに記載の通信端末。
【発明の詳細な説明】
【技術分野】
【０００１】
この発明は、ＶｏＩＰ(Vice over IP)を利用して通信を行う通信端末に関し、特にたとえば、識別番号と通信ネットワーク上のアドレス情報とが割り当てられ、識別番号およびアドレス情報の対応関係が記述された対応表を管理するサーバを利用して所望の通信端末との接続を確立する、通信端末に関する。
【背景技術】
【０００２】
ＶｏＩＰを利用して通信を行う通信端末として従来のＩＰ電話機を用いたシステムでは、図７に示すように、互いに通話が可能な電話機Ｂ，電話機Ｃおよび電話機Ｄの間には、ＩＰ(Internet Protocol)網上に設けられた登録サーバ(サーバ)４０とプロキシサーバ５０とが介在する。
【０００３】
登録サーバ４０が備えるデータベース４０ａには、各電話機に割り当てられた電話番号(識別番号；050から始まる番号)と各電話機のＩＰアドレス(アドレス情報)とを対応付けた対応表４０ｂが保持されている。たとえば、電話機Ｃから電話機Ｄに電話をかける場合には、電話機Ｃのユーザが電話機Ｃに電話機Ｄの電話番号を入力する。すると、まず電話機Ｃがプロキシサーバ５０に接続され、電話機Ｃに入力した電話機Ｄの電話番号がプロキシサーバ５０に送信される。プロキシサーバ５０は電話機Ｃから送信された電話機Ｄの電話番号を登録サーバ４０に転送して電話機ＤのＩＰアドレスを要求する。登録サーバ４０は、プロキシサーバ５０から転送された電話機Ｄの電話番号に基づいて対応表４０ｂを検索し、電話機Ｄの電話番号に対応するＩＰアドレスを特定する。そして、特定した電話機ＤのＩＰアドレスをプロキシサーバ５０に返信する。プロキシサーバ５０は、登録サーバ４０から返信されたＩＰアドレスに基づいて電話機Ｃからの呼を電話機Ｄに送信する。なお、“呼”とは、電話機Ｄなどの通信端末に対する呼び出しを意味することとする。
【０００４】
このようなＩＰ電話システムでは、たとえば、電話機Ｃから発せられた電話機Ｄに対する呼を電話機Ｂに転送することができる。このような呼の転送は、登録サーバ４０に保持されている対応表４０ｂにおける、電話機Ｄの電話番号から電話機ＤのＩＰアドレスへの対応を、電話機Ｄの電話番号から電話機ＢのＩＰアドレスへの対応に変更することによって実現される。
【０００５】
まず、電話機Ｄのユーザは、ユーザＩＤとパスワードとをあらかじめ登録サーバ４０に登録しておく(図７の<1>)。電話機Ｄへの呼を電話機Ｂに転送したい場合には、電話機Ｄのユーザは所定の操作によって電話機Ｄを転送設定モードに設定し、ユーザＩＤ，パスワードおよび呼の転送先である電話機Ｂの電話番号を入力する(<2>)。すると、転送設定要求とともに、ユーザＩＰ，パスワードおよび電話機Ｂの電話番号が登録サーバ４０に送信される(<3>)。
【０００６】
登録サーバ４０は、転送要求とともに送信されてきたユーザＩＤとパスワードとがあらかじめ登録サーバ４０に登録されているユーザＩＤおよびパスワードと一致するかどうかを判断し、一致する場合に転送要求を受理する。転送要求を受理すると、登録サーバ４０では、転送要求とともに送信されてきた電話機Ｂの電話番号から電話機ＢのＩＰアドレスを特定し、対応表４０ｂを更新して特定した電話機ＢのＩＰアドレスを電話機Ｄの電話番号に対応させる。
【０００７】
このような状態で、電話機Ｃから電話機Ｄに呼を発信すると(<4>)、プロキシサーバ５０は電話機Ｄの電話番号を登録サーバ４０に転送して電話機Ｄの場所を問い合わせる(<5>)。電話機Ｄの場所の問い合わせを受けた登録サーバ４０は、対応表４０ｂを参照して電話機Ｄの場所として電話機ＢのＩＰアドレスをプロキシサーバ５０に返信する(<6>)。プロキシサーバ５０は、登録サーバ４０から返信されたＩＰアドレスに基づいて電話機Ｃからの呼を電話機Ｂに転送する(<7>)。このようにして、電話機Ｃからの電話機Ｄに対する呼が電話機Ｂに転送される。
【０００８】
なお、電話機Ｄに対する呼の転送操作は、図８に示すように、電話機Ｄ以外のたとえば電話機Ｂからも行うことができる。この場合にも、呼の転送設定のためには、ユーザＩＤ，パスワードおよび転送先の電話番号の３つの情報を入力する必要がある。
【発明の開示】
【発明が解決しようとする課題】
【０００９】
以上に説明したように、従来技術では、呼の転送設定を行うたびに、ユーザＩＤ，パスワードおよび転送先の電話番号の３つの情報を入力しなければならず、手間がかかるという問題がある。
【００１０】
それゆえに、この発明の主たる目的は、手間をかけずに呼の転送設定を行うことができる、通信端末を提供することである。
【課題を解決するための手段】
【００１１】
請求項１の発明は、識別番号と通信ネットワーク上のアドレス情報とが割り当てられ、識別番号およびアドレス情報の対応関係が記述された対応表を管理するサーバを利用して所望の通信端末との接続を確立する通信端末において、待機モードが設定された状態で接続要求を受信したとき要求元の通信端末との間で接続を確立する確立手段、および確立手段によって接続が確立された後に要求元の通信端末から特定信号を受信したとき、対応表において自分の識別番号の対応先を自分のアドレス情報から要求元の通信端末のアドレス情報に変更することを要求する要求信号をサーバに送信する送信手段を備えることを特徴とする、通信端末である。
【００１２】
請求項１の発明では、確立手段が、待機モードが設定された状態で接続要求を受信したとき、接続元の通信端末との間で接続を確立する。そして、送信手段が、確立手段によって接続が確立された後に要求元の通信端末から特定信号を受信したとき、対応表において自分の識別番号の対応先を自分のアドレス情報から要求元の通信端末のアドレス情報に変更することを要求する要求信号をサーバに送信する。したがって、特定信号を送信するだけで、通信端末の識別番号に対応するアドレス情報を変更し、接続要求に応じて接続する通信端末を変更することができる。
【００１３】
請求項２の発明は、第１秘密コードを保持する第１保持手段をさらに備え、特定信号は第２秘密コードを含み、送信手段は、第１保持手段によって保持された第１秘密コードと特定信号に含まれる第２秘密コードとの間で所定関係が満たされるときサーバに要求信号を送信する、請求項１記載の通信端末である。
【００１４】
請求項２の発明では、通信端末は第１秘密コードを保持する第１保持手段をさらに備える。そして、特定信号には第２秘密コードが含まれ、送信手段は、第１保持手段によって保持された第１秘密コードと特定信号に含まれる第２秘密コードとの間で所定関係、たとえば、第１秘密コードと第２秘密コードとが一致する、もしくは、第１秘密コードと復号化された第２秘密コードとが一致するなどの関係が満たされるときサーバに要求信号を送信する。したがって、第１秘密コードと第２秘密コードとが所定の関係にある場合にのみ、接続要求に応じて接続する通信端末を変更することができる。
【００１５】
請求項３の発明は、サーバにアクセスするためのアクセスコードを保持する第２保持手段をさらに備え、要求信号は第２保持手段によって保持されたアクセスコードを含む、請求項１または２記載の通信端末である。
【００１６】
請求項３の発明では、通信端末は、サーバにアクセスするためのアクセスコードを保持する第２保持手段をさらに備える。そして、要求信号には、第２保持手段によって保持されたアクセスコードが含まれる。したがって、ユーザは、接続要求に応じて接続する通信端末を変更するに当たり、アクセスコードをわざわざ入力する必要がない。
【００１７】
請求項４の発明は、識別番号は電話番号であり、通信ネットワークはＩＰネットワークであり、そしてアドレス情報はＩＰアドレスである、請求項１ないし３のいずれかに記載の通信端末である。
【００１８】
請求項４の発明では、識別番号，通信ネットワークおよびアドレス情報として、それぞれ、電話番号，ＩＰネットワークおよびＩＰアドレスを採用する。したがって、既存のシステムを利用することができる。
【００１９】
請求項５の発明は、待機モードは留守番電話モードである、請求項１ないし４のいずれかに記載の通信端末である。
【００２０】
請求項６の発明は、アクセスコードは、ユーザＩＤおよびパスワードを含む、請求項１ないし５のいずれかに記載の通信端末である。
【００２１】
請求項７の発明は、自分のアドレス情報を保持する第３保持手段をさらに備え、接続要求は、要求元の通信端末第３保持手段が保持するアドレス情報を含む、請求項１ないし６のいずれかに記載の通信端末である。
【００２２】
請求項７の発明では、通信端末は自分のアドレス情報を保持する第３保持手段を備える。そして、接続要求には要求元の通信端末のアドレス情報が含まれる。要求元のアドレス情報は第３保持手段から取得されて接続要求に含められるので、要求元の通信端末のユーザがわざわざ入力する必要がない。したがって、要求元の通信端末のユーザは、通信端末に特定信号となる暗証番号を入力するだけで、接続要求に応じて接続する通信端末を変更することができる。
【発明の効果】
【００２３】
この発明によれば、暗証番号の入力のみによって呼の転送設定を行うので、ユーザの手間を省くことができる。
【００２４】
この発明の上述の目的，その他の目的，特徴および利点は、図面を参照して行う以下の実施例の詳細な説明から一層明らかとなろう。
【発明を実施するための最良の形態】
【００２５】
図１に示すのはこの発明を適用したＩＰ(Internet Protocol)電話機Ａ(以下、単に“電話機Ａ”と表記する)の実施例である。なお、図１中に示した、電話機Ｂおよび電話機Ｃはこの発明が適用されていない従来のＩＰ電話機であっても、この発明が適用されたＩＰ電話機であってもどちらでもよい。また、電話機Ｂおよび電話機ＣはＩＰ電話機に限らず、一般加入電話機であってもよいが、この実施例では電話機Ａ，電話機Ｂおよび電話機Ｃはすべてこの発明を適用したＩＰ電話機であるものとして説明する。電話機Ａ，電話機Ｂおよび電話機ＣはＩＰ網に接続される。
【００２６】
電話機Ａは、具体的には、図２に示すように構成される。図２からわかるように、電話機ＡはＣＰＵ１２を含んでいる。ＣＰＵ１２には、ＤＳＰ１４，ディスプレイ１６，キーパッド１８，ＥＥＰＲＯＭ(Electronically Erasable PROM；第１，第２および第３保持手段)２０，ＲＡＭ２２およびネットワークコントローラ２４が接続される。ＤＳＰ１４は、Ｄ／Ａ変換器２８を介して、受話器３６に設けられたスピーカ３０と接続され、また、Ａ／Ｄ変換器３２を介して、同じく受話器３６に設けられたマイク３４と接続される。ネットワークコントローラ２４は通信コネクタ２６に接続されており、通信コネクタ２６は所定のケーブルによってＩＰ網と接続される。したがって、ＣＰＵ１２は、ネットワークコントローラ２４および通信コネクタ２６を介してＩＰ網へのデータの送信および受信が可能である。
【００２７】
ＩＰ網上には、登録サーバ(サーバ)４０およびプロキシサーバ５０が存在する。登録サーバ４０およびプロキシサーバ５０の各々の動作および役割は、「背景技術」で説明したとおりである。従来の技術では、呼の転送設定を行うたびに、ユーザＩＤ，パスワードおよび転送先の電話機の電話番号の３つの情報を入力する必要があった。しかし、図１に示すこの発明が適用された電話機Ａに対して発信された呼の転送設定を行う場合には、転送先の電話機Ｂに暗証番号を入力するだけでよい。
【００２８】
電話機Ａへの呼を電話機Ｂに転送するための転送設定、つまり、登録サーバ４０が保持している電話番号とＩＰアドレスとの対応表４０ｂの書き換えは図１に示す手順で実行される。まず、電話機Ａのユーザは、前もってユーザＩＤおよびパスワードを登録サーバ４０と電話機Ａとに登録しておく(<1>)。なお、このとき、電話機Ａには所定の暗証番号(第１秘密コード)も登録しておく。
【００２９】
登録サーバ４０にユーザＩＤとパスワードとを記録しておくのは、転送の設定の要求(要求信号)とともに登録サーバ４０に送信されたユーザＩＤとパスワード(アクセスコード)とが、あらかじめ登録サーバ４０に登録されたユーザＩＤとパスワードとに一致した場合にのみ転送の設定の要求を受け付けるためである。なお、アクセスコードは、ユーザＩＤとパスワードとに限らず、電話番号もしくはＩＰアドレスと合言葉とのような組み合わせでもよく、あるいは合言葉のみという形態も考えられる。
【００３０】
この実施例では、電話機Ｃから電話機Ａに対して発せられた呼を電話機Ｂに転送する。この場合、ユーザは転送先である電話機Ｂから電話機Ａに電話をし、電話機Ｂから電話機Ａに対して転送設定の操作を行う。このとき、ユーザは電話機Ｂに暗証番号(特定信号としての第２秘密コード)を入力する。すると、電話機Ｂに入力された暗証番号が電話機Ａに送信される。電話機Ａは、電話機Ｂから送信された暗証番号(第２秘密コード)と電話機Ａにあらかじめ登録されている暗証番号(第１秘密コード)とを比較し、両者が一致した場合にのみ電話機Ｂからの転送設定の操作を受け付ける。そして、電話機Ａが電話機Ｂによる転送設定の操作を受け付けると、電話機Ａはあらかじめ電話機Ａに登録されているユーザＩＤ，パスワードおよび電話機Ｂの位置情報を登録サーバ４０に送信し、電話機Ａに対して発せされた呼の電話機Ｂへの転送の設定を登録サーバ４０に要求する。なお、特定信号は暗証番号ではなく、単に転送設定の操作を開始することを知らせる信号であってもよい。
【００３１】
電話機Ｂから電話機Ａに対して転送設定の操作を行うために、電話機Ｂが電話機Ａを呼び出す必要がある。なお、このとき電話機Ａは留守番電話モード(待機モード)になっているものとする。この実施例においては、ＩＰ電話機の発着信をコントロールするシグナリング技術として、ＳＩＰ(Session Initiation Protocol)を採用する。ＳＩＰでは、発着信をコントロールするためのメッセージがテキスト形式で作成される。
【００３２】
ユーザが電話機Ｂから電話機Ａに電話をかけた場合に、電話機Ｂと電話機Ａとの間で送受信されるメッセージを図３に示す。ユーザが電話機Ｂに電話機Ａの電話番号を入力すると、電話機Ｂから、電話機Ｂと電話機Ａとの間でセッションを確立することを要求する“INVITE”メッセージが電話機Ａに対して送信される({1})。これは、図１の<2>に示す電話機Ｂから電話機Ａへの発信にあたる。この“INVITE”メッセージは図４に示すテキストからなっている。図４に示すように“INVITE”メッセージには、“INVITE”メッセージの発信元を示す発信元情報ＳＩおよびメッセージの返信先を指定する返信先情報ＲＩが含まれる。発信元情報ＳＩおよび返信先情報ＲＩはともに、電話機ＢのＥＥＰＲＯＭ２０に記録されている自機のＩＰアドレスである自機情報ＯＩ(アドレス情報)に基づいて生成される。なお、アドレス情報は、ＩＰアドレスに限らず、電話番号であってもよい。
【００３３】
“INVITE”メッセージを受信すると、電話機Ａからは、“INVITE”メッセージに対する暫定応答として、“INVITE”メッセージを受信したことを示す“100 Trying”メッセージが電話機Ｂに送信される({2})。この“100 Trying”メッセージの送信は、“INVITE”メッセージに含まれる返信先情報ＲＩによって示される電話機Ｂに対して行われる。そして、続いて、電話機Ａからは同じく暫定応答として電話機Ａのユーザを呼び出し中であることを示す“180 Ringing”メッセージが送信される({3})。このとき、電話機Ａでは呼び出し音が発生される。電話機Ａは留守番電話モードに設定されており、たとえば、１０回の呼び出し音で留守番電話機能が電話機Ｂからの呼び出しに応答する(図１における<3>)。なお、待機モードは、留守番電話モードに限らず、呼び出し音によって所定の回数だけユーザを呼び出してもユーザが応答しない場合に、自動的に応答して転送設定の操作を受け付ける状態に移行する転送設定のための専用モードであってもよい。電話機Ａの留守番電話機能が応答すると、電話機Ａは“INVITE”メッセージによるリクエストが成功した旨を伝える“200 OK”メッセージを電話機Ｂに送信する({4})。
【００３４】
“200 OK”のメッセージを受信すると、電話機Ｂは、“200 OK”メッセージを受信したことを示す“ACK”メッセージを電話機Ａに送信する({5})。“ACK”メッセージを電話機Ａが受信することによって、電話機Ａと電話機Ｂとの間で通信プロトコルＲＴＰ(Real-time Transport Protocol)が確立される({6})。
【００３５】
電話機Ａと電話機Ｂとの間でＲＴＰが確立されると、電話機Ａの留守番電話機能が“只今外出しています。御用の方はピーという発信音の後に、お名前，連絡先，ご用件をお話しください”というようなアナウンスを発信するので、電話機Ｂのユーザはこのアナウンスが終わる前に電話機Ｂに“＃”を入力する。すると、留守番電話機能が“暗証番号を入力してください”というようなアナウンスを発信するので、電話機Ｂのユーザは暗証番号を電話機Ｂに入力する(図１の<4>)。電話機Ｂに入力された暗証番号は電話機Ａに送信される(図１の<4>’)。電話機Ａでは、電話機Ｂから受信した暗証番号が、あらかじめ電話機ＡのＥＥＰＲＯＭ２０に記録されている暗証番号と一致するか否かを確認する。そして、両者が一致する場合には、“転送設定を受け付けました”というアナウンスを発信する。
【００３６】
電話機Ｂのユーザは“転送設定を受け付けました”というアナウンスを確認して、電話機Ｂの受話器３６を置く。すると、電話機Ｂからはセッションの終了を求める“BYE”メッセージが電話機Ａに送信される({7})。“BYE”メッセージを受信した電話機Ａは、“BYE”メッセージによるセッション終了のリクエストが成功したことを示す“200 OK”メッセージを電話機Ｂに送信する({8})。こうして電話機Ａと電話機Ｂとの間の通信が終了し、電話機Ａへの転送設定の操作が完了する。
【００３７】
転送設定の操作が行われると、電話機Ａは、あらかじめ図１の<1>で登録されているユーザＩＤおよびパスワードと転送先(電話機ＢのＩＰアドレス)を登録サーバ４０に送信する(<5>)。この転送先(電話機ＢのＩＰアドレス)の出所については後述する。このとき、電話機Ａは、図５に示すように、“REGISTER”と呼ばれる転送設定用のメッセージを登録サーバ４０に送信する({1})。そして、“REGISTER”メッセージを受け取った登録サーバ４０は、“REGISTER”メッセージによる転送設定のリクエストが完了した旨を伝える“200 OK”メッセージを電話機Ａに返信する({2})。
【００３８】
“REGISTER”メッセージは、具体的には、図６に示すテキストからなっている。図６に示すように、“REGISTER”メッセージには、転送元情報ＦＩ，転送先情報ＴＩおよび認証情報ＡＩが含まれている。転送元情報ＦＩは転送電話の転送元である電話機ＡのＩＰアドレスを示している。この転送元情報ＦＩは、電話機ＡのＥＥＰＲＯＭ２０に記録されている自機情報ＯＩに基づいて作成される。自機情報ＯＩは電話機ＡのＩＰアドレスそのものである。また、転送先情報ＴＩは転送電話の転送先である電話機ＢのＩＰアドレスを示している。この転送先情報ＴＩは、電話機Ａが電話機Ｂから受信した“INVITE”メッセージに含まれていた返信先情報ＲＩ(図４参照)に基づいて作成される。この転送先情報ＴＩが図１の<5>で登録サーバ４０に送信される転送先である。
【００３９】
認証情報ＡＩは、“REGISTER”メッセージによる転送設定のリクエストを認証するための情報である。認証情報ＡＩには、図１の<1>で電話機Ａに登録されたユーザＩＤ ｕｉとパスワードＰＳとが含まれている。ただし、パスワードＰＳは所定の暗号化方式によって暗号化されている。
【００４０】
“REGISTER”メッセージを受け取った登録サーバ４０では、“REGISTER”メッセージからユーザＩＤ ｕｉおよびパスワードＰＳを取得してパスワードＰＳを復号化し、あらかじめ登録サーバ４０に登録されている電話機ＡのユーザＩＤおよびパスワードと比較する。そして、“REGISTER”メッセージから取得したユーザＩＤ ｕｉおよびパスワードＰＳと登録サーバ４０に登録されているユーザＩＤおよびパスワードとが一致する場合に、“REGISTER”メッセージによる転送設定のリクエストを受け付ける。
【００４１】
転送設定のリクエストを受け付けた登録サーバ４０では、対応表４０ｂに記録されている電話機Ａに対応するＩＰアドレスを“REGISTER”メッセージに含まれる転送先情報ＴＩが示す電話機ＢのＩＰアドレスに書き換える。
【００４２】
このような転送設定が行われた状態で、電話機Ｃから電話機Ａに対する呼を発信すると(図１の<6>)、プロキシサーバ５０からの電話機Ａの場所の問い合わせ(<7>)に対して、登録サーバ４０からは電話機ＢのＩＰアドレスが返信される(<8>)。そして、プロキシサーバ５０は、登録サーバ４０から返信されたＩＰアドレスに基づいて電話機Ｃからの呼を電話機Ｂに転送する(<9>)。このように、この発明が適用された電話機Ａでは、電話機Ａに対する呼の転送設定を暗証番号の入力のみによって行うことができ、ユーザの手間が省かれる。
【００４３】
以下に、図９および図１０に示すフロー図を用いて図１の実施例における電話機ＡのＣＰＵ１２の動作を説明する。
【００４４】
電話機Ｂから図４に示したような“INVITE”メッセージが送信されると、図９のステップＳ１において“INVITE”メッセージを受信し、ステップＳ３において“INVITE”メッセージの解析を行う。ステップＳ５では、“INVITE”メッセージから返信先情報ＲＩを抽出してＲＡＭ２２に保存する。そして、ステップＳ７では、電話機Ａのユーザを呼び出し中であることを示す“180 Ringing”メッセージを電話機Ｂに送信する。
【００４５】
ステップＳ９では、電話機Ａのユーザに対する呼び出し音を発生し、ステップＳ１１では呼び出し音がたとえば１０回発生されたかどうかを判断する。ステップＳ１１においてＹＥＳと判断すると、留守番電話機能を能動化し、ステップＳ１５において、“INVITE”メッセージによるリクエストが成功した旨を伝えるために“200 OK”メッセージを電話機Ｂに送信する。ステップＳ１７では、電話機Ｂが“200 OK”メッセージを受信したことを示す“ACK”メッセージを電話機Ｂから受信する。
【００４６】
“ACK”メッセージを受信すると、ステップＳ１９において、電話機Ｂとの間で、ＲＴＰパケット(音声)の送受信を開始し、図１９のステップＳ２１において、“只今外出しています。御用の方はピーという発信音の後に、お名前，連絡先，ご用件をお話しください”というようなアナウンスの発信を開始する。このアナウンスの途中で電話機Ｂから“＃”ボタンを操作すると、“＃”ボタンのプッシュ音が電話機Ａに送信され、ステップＳ２３において“＃”ボタンが操作されたと判断し、ステップＳ２５において、“暗証番号を入力してください”というようなアナウンスを送信する。このアナウンスに対して電話機Ｂに暗証番号を入力すると、暗証番号に応じたプッシュ音が電話機Ａに送信され、ステップＳ２７においてプッシュ音が検出される。そして、ステップＳ２９では、ステップＳ２７で検出したプッシュ音から特定される暗証番号が、あらかじめ電話機Ａに登録されている暗証番号と一致するかどうかを判断する。ステップＳ２９においてＹＥＳと判断すると、ステップＳ３１において、“転送設定の操作を受け付けました”というようなアナウンスを送信する。
【００４７】
このアナウンスを聞いた電話機Ｂのユーザは、電話機Ｂの受話器３６を置いて通話を終了する。すると、電話機Ｂからは、通話の終了をリクエストする“BYE”メッセージが送信され、電話機Ａは図１１のステップＳ３３において“BYE”メッセージを受信する。“BYE”メッセージを受信すると、ステップＳ３５において、“BYE”メッセージによる通話終了のリクエストが成功したことを示す“200 OK”メッセージを電話機Ｂに送信し、通話を終了する。
【００４８】
通話を終了すると、ステップＳ３７では、電話機ＡのＥＥＰＲＯＭ２０に記録されている自機情報ＯＩから転送元情報ＦＩ(図６参照；電話機ＡのＩＰアドレス)を生成する。また、ステップＳ３９では、図９のステップＳ５において“INVITE”メッセージから抽出してＲＡＭ２２に保存した返信先情報ＲＩから転送先情報ＴＩ(図６参照；電話機ＢのＩＰアドレス)を生成する。そしてさらに、ステップＳ４１では、電話機ＡのＥＥＰＲＯＭ２０に記録されているユーザＩＤ uiおよびパスワードＰＳを使用して認証情報ＡＩ(図６参照)を生成する。
【００４９】
ステップＳ４３では、ステップＳ３７，３９および４１で生成された転送元情報ＦＩ，転送先情報ＴＩおよび認証情報ＡＩを使用して図６に示したような“REGISTER”メッセージを作成し、ステップＳ４５において、この“REGISTER”メッセージを登録サーバ４０に送信する。そして、ステップＳ４７では、“REGISTER”メッセージを受信した登録サーバ４０から“REGISTER”メッセージによる転送設定のリクエストが成功した旨を示す“200 OK”メッセージを受信し、図９のステップＳ１に戻る。
【００５０】
登録サーバ４０は、電話機Ａから送信された“REGISTER”メッセージに基づいて、電話機Ａに対する呼の電話機Ｂへの転送設定を行う。これによって、電話機Ａに対して行われた呼を電話機Ｂに転送する設定が完了する。
【００５１】
以上に説明したように、この実施例の電話機Ａによれば、転送先の電話機Ｂから暗証番号を入力するだけで、電話機Ａに対して行われた呼を電話機Ｂに転送する転送設定を行うことができるので、ユーザの手間を省くことができる。
【００５２】
なお上述した実施例は種々に変更することができる。たとえば、上述の例では、この発明を適用する通信端末をＩＰ電話機としたが、ＩＰ電話機に限らず、通常の一般加入電話機とＩＰ網との間に接続されて使用されるＩＰアダプタであってもよい。
【００５３】
また、上述の実施例では、電話機Ｂおよび電話機ＣをＩＰ電話機として説明したが、電話機Ｂおよび電話機Ｃはプッシュ音を発信できる通常の一般加入電話機であってもよい。このばあい、一般公衆網とＩＰ網との間にはＶｏＩＰゲートウェイが設けられる。
【００５４】
さらに、上述の実施例では、電話機Ａに対して発せられた呼を電話機Ｂに転送するために、登録サーバ４０のデータベース４０ａに保持された対応表４０ｂにおいて、電話機Ａの電話番号に対応するＩＰアドレスを電話機ＡのＩＰアドレスから電話機ＢのＩＰアドレスに書き換えた。しかし、電話機ＡのＩＰアドレスを電話機ＢのＩＰアドレスに書き換えるのではなく、対応表４０ｂに、電話機Ａの電話番号の対応先を変更する旨を示す情報を記録するとともに、その変更する対応先として電話機ＢのＩＰアドレスを記録するようにしてもよい。
【００５５】
また、アドレス情報として電話番号を採用し、対応表４０ｂにおいて変更する電話機Ａの電話番号の対応先を電話機ＢのＩＰアドレスではなく電話機Ｂの電話番号としてもよい。
【図面の簡単な説明】
【００５６】
【図１】この発明の一実施例の全体構成を示す図解図である。
【図２】ＩＰ電話機の概略構成例を示すブロック図である。
【図３】電話機Ａと電話機Ｂとの間で送受信されるＳＩＰメッセージの例を示す図解図である。
【図４】INVITEメッセージの例を示す図解図である。
【図５】登録サーバと電話機Ａとの間で送受信されるＳＩＰメッセージの例を示す図解図である。
【図６】REGISTERメッセージの例を示す図解図である。
【図７】従来のＩＰ電話機における転送設定の手順を示す図解図である。
【図８】従来のＩＰ電話機における転送設定のその他の手順を示す図解図である。
【図９】図１の実施例における電話機ＡのＣＰＵの動作を示すフロー図である。
【図１０】図９のフロー図に続くフロー図である。
【図１１】図１０のフロー図に続くフロー図である。
【符号の説明】
【００５７】
Ａ，Ｂ，Ｃ  …ＩＰ電話機
１２  …ＣＰＵ
１８  …キーパッド
２０  …ＲＡＭ
２２  …ＥＥＰＲＯＭ
４０  …登録サーバ(サーバ)
５０  …プロキシサーバ
【図１】
2005151009.tif 000003
【図２】
2005151009.tif 000004
【図３】
2005151009.tif 000005
【図４】
2005151009.tif 000006
【図５】
2005151009.tif 000007
【図６】
2005151009.tif 000008
【図７】
2005151009.tif 000009
【図８】
2005151009.tif 000010
【図９】
2005151009.tif 000011
【図１０】
2005151009.tif 000012
【図１１】
2005151009.tif 000013